(57)【特許請求の範囲】
【請求項１】
自動販売機の見本陳列部に設置される見本体の表面に、該自動販売機が販売する商品と対応する縦断半割り形状の見本部が形成された幅広型の見本であって、
前記見本体における前記見本部よりも上側表面に、前記商品に関連する販売促進情報を印刷したシート状の販売促進体を、該販売促進情報を印刷した表面が前記自動販売機の前面と対応して正面向きとなるように取り付けるための販売促進体取付け部を形成し、
前記販売促進体取付け部を、前記見本体に印刷された印刷パターンの少なくとも一部を構成する立体的な形状に形成した
販売促進体の取り付け構造。
【請求項２】
前記販売促進体取付け部を、前記印刷パターンの少なくとも一部を構成する立体的な形状に形成した係止部で構成し、
前記販売促進体の前記係止部と対向する縁部に、該係止部に係止される切欠き部又は係止片を形成した
請求項１に記載の販売促進体の取り付け構造。
【請求項３】
前記販売促進体取付け部を、前記印刷パターンの少なくとも一部を構成する立体的な形状に形成した突起で構成し、
前記販売促進体の前記突起と対向する平面部に、該突起が差し込み固定される孔部を形成した
請求項１に記載の販売促進体の取り付け構造。
【請求項４】
前記販売促進体取付け部を、前記印刷パターンの少なくとも一部を構成する立体的な形状に形成した一対の支持部で構成し、
前記販売促進体の前記一対の支持部間と対向する端部に、該一対の支持部間に対し差し込み固定される差込み片を形成した
請求項１に記載の販売促進体の取り付け構造。
【発明の詳細な説明】
【技術分野】
【０００１】
この発明は、自動販売機が販売する商品の選択購入、販売促進、宣伝広告、注目度等の訴求力を高めるために用いられる販売促進体の取り付け構造に関する。
【背景技術】
【０００２】
従来、前記商品の見本を陳列する商品見本体としては、例えば自動販売機の装着台に取り付けられる本体の表面に、半割状の商品見本部と宣伝広告表示部を備えた特許文献１の自動販売機用商品見本体がある。  
しかし、商品見本体の表面には、販売促進する商品に関連したキャッチコピーのような宣伝広告文や宣伝広告用の図柄などが印刷されているが、その広告文や図柄を変更する場合、装着台に設置された商品見本体を、新しい広告文や図柄が印刷された商品見本体に取り替えなければならず、商品見本体の取り替え作業に手間及び時間が掛かる。  
また、広告文や図柄を変更する度に、新しい商品見本体を製作しなければならず、販売促進に要する費用負担が大きく、コストが掛かる。また、新商品に入れ替わるまで、入替中が表示された表示物を装着台に取り付けておくこともあるが、他の商品見本体を目立たせる効果や販売促進する効果が得られない。
【先行技術文献】
【特許文献】
【０００３】
【特許文献１】特開２００６−２０９３０７
【発明の概要】
【発明が解決しようとする課題】
【０００４】
この発明は、自動販売機が販売する商品に関連した販売促進情報の表示及び変更が簡単且つ容易に行え、販売促進に要する費用及びコストの低減を図ることができる販売促進体の取り付け構造を提供することを目的とする。
【課題を解決するための手段】
【０００５】
この発明は、自動販売機の見本陳列部に設置される見本体の表面に、該自動販売機が販売する商品と対応する縦断半割り形状の見本部が形成された幅広型の見本であって、前記見本体における前記見本部よりも上側表面に、前記商品に関連する販売促進情報を印刷したシート状の販売促進体を、該販売促進情報を印刷した表面が前記自動販売機の前面と対応して正面向きとなるように取り付けるための販売促進体取付け部を形成し、前記販売促進体取付け部を、前記見本体に印刷された印刷パターンの少なくとも一部を構成する立体的な形状に形成した販売促進体の取り付け構造であることを特徴とする。
【０００６】
この発明の態様として、前記販売促進体取付け部を、前記印刷パターンの少なくとも一部を構成する立体的な形状に形成した係止部で構成し、前記販売促進体の前記係止部と対向する縁部に、該係止部に係止される切欠き部又は係止片を形成することができる。
【０００７】
また、この発明の態様として、前記販売促進体取付け部を、前記印刷パターンの少なくとも一部を構成する立体的な形状に形成した突起で構成し、前記販売促進体の前記突起と対向する平面部に、該突起が差し込み固定される孔部を形成することができる。
【０００８】
また、この発明の態様として、前記販売促進体取付け部を、前記印刷パターンの少なくとも一部を構成する立体的な形状に形成した一対の支持部で構成し、前記販売促進体の前記一対の支持部間と対向する端部に、該一対の支持部間に対し差し込み固定される差込み片を形成することができる。
【０００９】
前記幅広型見本は、例えば真空成形、加圧成形、ブロー成形、押出し成形等の成形方法で成形され、同一形状或いは異なる形状の見本部が複数配置された幅広型の見本体で構成することができる。
【００１０】
幅広型見本及び販売促進体は、例えばポリアセタール、ポリプロピレン、ポリエチレン、ポリエステル、ポリカーボネード、アクリル等の透光性を有するプラスチック、或いは、透明なプラスチックや着色された半透明なプラスチックで構成することができる。
【００１１】
見本部は、自動販売機が販売する商品の一例として、例えば缶型、瓶型、ボトル型、箱型等の商品と酷似する外観及び意匠に形成された縦断半割り形状(例えば半円筒形状、半矩形状等)に構成することができる。
【００１２】
販売促進体は、透光性及び柔軟性を有するプラスチック製のシートで構成することができる。また、販売促進体の裏面又は表面に印刷される印刷パターンは、例えば新発売、キャンペーン中、キャッチコピー、メッセージなどの宣伝広告文、或いは、宣伝広告用の商標、文字、模様、図柄、入替中等の販売促進する商品に関連した販売促進情報で構成することができるが、例えば茶葉、茶畑、花、樹木などの植物、或いは、空、海、山、川等の自然、或いは、犬、猫、鳥、人などの動物等の印刷パターンで構成してもよい。
【００１３】
販売促進体取付け部は、例えば見本体に形成された係止部、突起、支持部等で構成することができる。また、見本体の係止部、突起、支持部には、販売促進体に形成された切欠き部、孔部、差込み片等がそれぞれ係止される
【発明の効果】
【００１４】
この発明によれば、見本体に印刷された印刷パターンと対応して該見本体の表面に形成された販売促進体取付け部に、商品に関連した販売促進情報が印刷された販売促進体を取り付けるので、販売促進体を折り曲げたり、複雑な加工を施したり、別部品を用いる必要がなく、幅広型見本の表面に対し販売促進体を取り付ける作業が簡単且つ容易に行える。
【００１５】
また、見本陳列部に陳列された他の見本に比べて、販売促進体が装着された幅広型見本の方が目立つことになるので、自動販売機に近づく人や商品を購入しようとする人の注目を引くことができ、注目度の高い商品が積極的に選択及び購入されやすく、商品の販売促進、売上向上を図ることができる。
【図面の簡単な説明】
【００１６】
【図１】幅広型見本が設置された自動販売機を示す正面図。
【図２】幅広型見本に対する販売促進体の取り付け方を示す斜視図。
【図３】図２の販売促進体の取り付け方を示す正面図。
【図４】販売促進体が取り付けられた幅広型見本の設置構造を示す正面図。
【図５】図４の幅広型見本の設置構造を示す中央縦断側面図。
【図６】幅広型見本に対する販売促進体の他の取り付け方を示す斜視図。
【図７】図６の販売促進体の取り付け方を示す正面図。
【図８】幅広型見本に対する販売促進体のその他の取り付け方を示す斜視図。
【図９】図８の販売促進体の取り付け方を示す正面図。
【図１０】同一形状の見本部を備えた幅広型見本に対する暖簾型の販売促進体のその他の取り付け例を示す斜視図。
【図１１】同一形状の見本部を備えた幅広型見本に対する販売促進体のその他の取り付け例を示す斜視図。
【図１２】異なる形状の見本部を備えた幅広型見本に対する販売促進体のその他の取り付け例を示す斜視図。
【発明を実施するための形態】
【実施例】
【００１７】
図１は、幅広型見本１が設置された自動販売機Ａを示す正面図、図２は、幅広型見本１に対する販売促進体８の取り付け方を示す斜視図、図３、図２の販売促進体８の取り付け方を示す正面図、図４、販売促進体８が取り付けられた幅広型見本１の設置構造を示す正面図、図５、図４の幅広型見本１の設置構造を示す中央縦断側面図である。
【００１８】
実施例の販売促進体８は、自動販売機Ａの見本陳列部Ａａ内に設置された幅広型見本１の表面に取り付けられ、該自動販売機Ａが販売する商品の選択購入、販売促進、宣伝効果、注目度等の訴求力を高める際にＰＯＰ広告として用いられるものである。
【００１９】
販売促進体８が取り付けられる幅広型見本１は、図２〜図５に示すように、正面から見て矩形の見本体２が、透光性を有するプラスチック製のシートを用いて図示しない真空成形装置によって真空成形されている。  
また、見本体２の後述する見本部４Ａを除く裏面側には、商品の販売イメージと対応する印刷パターン（例えば商標、文字、模様、図柄、色彩等）が印刷されている。
【００２０】
見本体２は、見本陳列部Ａａの陳列パネルＡｂ上に設置される３個の見本Ｂを並列配置してなる横幅より幅広で、４個の見本Ｂを並列配置してなる横幅より幅狭に形成され、該陳列パネルＡｂ上に設置が許容される奥行及び高さに形成されている。  
また、見本体２の中央表面には、商品の販売イメージと対応する自然の風景を模した正面から見て山形の張出し部３が該見本体２の表面より前方へ張り出すように形成されている。
【００２１】
張出し部３の表面には、自動販売機Ａが販売する缶型の商品と酷似する外観及び意匠に形成され、該商品を前後に２つ割りしてなる縦断半割り形状の見本部４Ａが３個形成されている。  
また、見本部４Ａは、張出し部３の表面より前方へ張り出すように形成され、見本の一例である缶型の商品の前側半分と対応する曲率半径でもって半円筒形状に形成されている。
【００２２】
見本部４Ａの裏面側には、自動販売機Ａが販売する缶型の商品に印刷された表示内容と同一か、或いは、該表示内容と酷似する内容（例えば商標、文字、模様、図柄、色彩等）の印刷パターンが印刷されている。また、商品と対応する表示内容の印刷パターンを印刷する代わりに、表示内容が印刷された表示ラベルを貼着してもよい。
【００２３】
前記張出し部３の下部表面には、該見本体２と同一幅の台座部５が幅方向に形成されている。また、台座部５は、陳列パネルＡｂ上に設置が許容される前後幅に形成され、見本部４Ａの表面より前方へ張り出した状態に形成されている。
【００２４】
台座部５の中央下面には、図３〜図５に示すように、陳列パネルＡｂの陳列面に開口された平面視丸形状の開口部Ａｃに対し係合される横断面視半円形状の第１挿入部６が形成されている。また、第１挿入部６を中心とする台座部５の左右下面には、第１挿入部６が係合される開口部Ａｃの左右に開口された開口部Ａｃに対し係合される横断面視台形状の第２挿入部７が形成されている。
【００２５】
第１挿入部６の下端部外周面には、開口部Ａｃの下面側周縁部に係止される凸状の鍔部６ａが周方向に連続して形成されている。また、鍔部６ａより上方の外周面には、開口部Ａｃの前側周縁部が係止される凹状の溝部６ｂが周方向に連続して形成されている。
【００２６】
第１挿入部６の前側外周面には、開口部Ａｃの前側周縁部に形成された凹状の切欠き部Ａｄに係止される凸状の突起６ｄが形成されている。また、第１挿入部６の両側外周面には、開口部Ａｃの両側周縁部に形成された凹状の切欠き部Ａｅに係止される凸状の突起６ｅが形成されている。
【００２７】
つまり、見本体２の第１挿入部６を陳列パネルＡｂの開口部Ａｃに上方から挿入し、左右の第２挿入部７を左右の開口部Ａｃにそれぞれ挿入する。また、第１挿入部６の鍔部６ａを開口部Ａｃの周縁部に係止し、第１挿入部６の溝部６ｂを開口部Ａｃの周縁部に係止して抜止めする。また、第１挿入部６の突起６ｄ，６ｅと開口部Ａｃの切欠き部Ａｄ，Ａｅを合致して位置決めする。  
これにより、幅広型見本１が、自動販売機Ａの前面と対応して見本体２の表面が正面向きとなるように、見本陳列部Ａａ内の陳列パネルＡｂ上に対し略鉛直に起立した状態に設置固定される（図５参照）。
【００２８】
なお、見本体２の裏面側に印刷された印刷パターンは、例えば商標、文字、模様、図柄等、或いは、キャッチコピー、メッセージなどの宣伝広告文、或いは、茶葉、茶畑、花、樹木等の植物、或いは、空や海、山、川等の自然、或いは、犬や猫、鳥等の動物等で構成されている。
【００２９】
販売促進体８は、透光性及び柔軟性を有するプラスチック製のシートで形成され、見本体２の張出し部３より上側の正面から見て左側表面から右側表面に跨って取り付けられる大きさ及び形状に形成されている。  
また、販売促進体８の裏面又は表面には、前記商品に関連した販売促進情報（例えば新発売、キャンペーン中、キャッチコピー、メッセージなどの宣伝広告文、或いは、宣伝広告用の商標、文字、模様、図柄、入替中等）が印刷されている。
【００３０】
販売促進体８の下縁部は、見本体２に形成された正面から見て山形の張出し部３と対応して、該張出し部３の山頂部と合致する大きさ及び形状に形成されている。  
販売促進体８の正面から見て左側下縁部には、張出し部３の正面から見て左側山頂部と対応して、正面から見て山形の切欠き部８ａが形成されている。  
販売促進体８の正面から見て右側下縁部には、張出し部３の正面から見て右側山頂部と対応して、切欠き部８ａより小さい正面から見て山形の切欠き部８ｂが形成されている。
【００３１】
切欠き部８ａは、張出し部３の正面から見て左側山頂部の係止部３ａに対し係止される大きさ及び形状に切欠き形成されている。また、切欠き部８ｂは、張出し部３の正面から見て右側山頂部の係止部３ｂに対し係止される大きさ及び形状に切欠き形成されている。
【００３２】
係止部３ａ，３ｂは、見本体２に印刷された山形の印刷パターンと対応する部分の表面に対し、該見本体２の表面から前方に向けて張り出すようにして形成されている。実施例では、見本体２に印刷された山形の印刷パターンと対応する張出し部３の左右山頂部に形成されている。  
つまり、係止部３ａ，３ｂが形成された部分の印刷パターンが立体的に見えるだけでなく、自動販売機Ａに近づく人や商品を購入しようとする人の注目を引くことができる。また、販売促進体８を取り付けなくても、張出し部３に形成された係止部３ａ，３ｂによって、商品の販売イメージ或いは張出し部３の意匠価値が損なわれることがない。
【００３３】
前記幅広型見本１の上側表面に販売促進体８を取り付ける場合、先ず、図２、図３に示すように、販売促進体８を、商品に関連した販売促進情報が印刷された表示面が正面向きとなるようにして、見本体２の張出し部３より上側表面に沿って垂直に下降させ、販売促進体８の切欠き部８ａ，８ｂを、張出し部３の係止部３ａ，３ｂに対し上方から係止する。
【００３４】
つまり、販売促進体８の左側下縁部に形成された切欠き部８ａを、張出し部３の左側山頂部に形成された係止部３ａに係止する。また、販売促進体８の右側下縁部に形成された切欠き部８ｂを、張出し部３の右側山頂部に形成された係止部３ｂに係止する。
【００３５】
これにより、販売促進体８を、見本体２の張出し部３より上側表面に対し、商品に関連した販売促進情報が印刷された表面が正面向きとなるように取り付けることができる。
【００３６】
次に、図４、図５に示すように、販売促進体８が取り付けられた幅広型見本１を、自動販売機Ａの前面と対応して見本体２の表面が正面向きとなるように、見本陳列部Ａａの陳列パネルＡｂ上に対し略鉛直に起立した状態に設置固定する。
【００３７】
つまり、自動販売機Ａの見本陳列部Ａａに設置される幅広型見本１の上側表面に、該自動販売機Ａが販売する商品に関連した販売促進情報が印刷された販売促進体８を取り付けるだけで、見本陳列部Ａａに陳列された他の見本Ｂに比べて、販売促進体８が装着された幅広型見本１或いは見本体２に形成された見本部４Ａ，４Ｂが目立つことになる。
【００３８】
これにより、注目度の高い商品が積極的に選択及び購入されやすく、商品の販売促進、売上向上を図ることができる。また、販売促進体８を取り付けるだけであるので、商品に関連した販売促進情報の表示及び変更が簡単且つ容易に行える。また、幅広見本１全体を交換する必要がなく、販売促進に要する費用及びコストの低減を図ることができる。
【００３９】
販売促進体８を上方に引き上げて、張出し部３の係止部３ａ，３ｂから販売促進体８の切欠き部８ａ，８ｂを抜き取るだけで、幅広型見本１から販売促進体８を取り外す作業や、別の販売促進情報が印刷された販売促進体８に取り換える作業が簡単且つ容易に行える。
【００４０】
販売促進体８の左右下縁部には、切欠き部８ａ，８ｂを形成するだけであるため、販売促進体８を折り曲げたり、複雑な加工を施したり、別部品を用いて取り付ける必要がなく、幅広型見本１の上側表面に対し販売促進体８を取り付ける作業が簡単且つ容易に行える。なお、別部品は、例えば両面粘着テープ、マグネット、面ファスナー、ネジ、粘着剤等で構成される。
【００４１】
図６は、幅広型見本１に対する販売促進体８の他の取り付け方を示す斜視図、図７は、図６の販売促進体８の取り付け方を示す正面図である。
【００４２】
本例の販売促進体８は、見本体２の張出し部３より上側の正面から見て左側表面から右側表面に跨って取り付けられる大きさ及び形状に形成されている。
【００４３】
販売促進体８の正面から見て左側下端部には、正面から見て丸形状の孔部８ｃが形成されている。また、販売促進体８の正面から見て右側下端部には、正面から見て丸形状の孔部８ｄが形成されている。なお、孔部８ｃは、孔部８ｄより大径に形成されている。
【００４４】
孔部８ｃは、張出し部３より上側の左側表面に形成された正面から見て丸形状の突起９ｃが係止される孔径及び形状に形成されている。また、孔部８ｄは、張出し部３より上側の右側表面に形成された正面から見て丸形状の突起９ｄが係止される孔径及び形状に形成されている。なお、突起９ｃは、突起９ｄより大径に形成されている。
【００４５】
突起９ｃ，９ｄは、張出し部３より上側の左右表面に印刷された花形や星形の印刷パターンと対応する部分の表面に形成されている。つまり、見本体２を真空成形する際に、該見本体２の表面から前方に向けて張り出すように突出された筒状の軸部９ｃ１，９ｄ１と、該軸部９ｃ１，９ｄ１の突出側端部に形成された頭部９ｃ２，９ｄ２とで構成されている（図７のｂ部に示す拡大横断平面図を参照）。
【００４６】
突起９ｃの軸部９ｃ１は、孔部８ｃより小径に形成されている。また、突起９ｃの頭部９ｃ２は、孔部８ｃに対し挿入が許容される大きさに変形可能であって、該孔部８ｃの周縁部に対し係止される大きさに復元可能に形成されている。
【００４７】
突起９ｄの軸部９ｄ１は、孔部８ｄより小径に形成されている。また、突起９ｄの頭部９ｄ２は、孔部８ｄに対し挿入が許容される大きさに変形可能であって、該孔部８ｄの周縁部に対し係止される大きさに復元可能に形成されている。なお、突起９ｃ，９ｄは、見本体２を真空成形する際に形成される。
【００４８】
前記幅広型見本１の上側表面に販売促進体８を取り付ける場合、販売促進体８を、商品に関連した販売促進情報が印刷された表示面が正面向きとなるようにして、見本体２の張出し部３より上側表面に対し正面側から押し付け、販売促進体８の孔部８ｃ，８ｄに、張出し部３より上側の左右表面に形成された突起９ｃ，９ｄを挿入する。
【００４９】
つまり、販売促進体８の左側孔部８ｃに、張出し部３の左側表面に形成された突起９ｃを差し込み固定する。また、孔部８ｄに、張出し部３の右側表面に形成された突起９ｄを差し込み固定する。
【００５０】
これにより、販売促進体８を、見本体２の張出し部３より上側表面に対し、商品に関連した販売促進情報が印刷された表面が正面向きとなるように取り付けることができる。  
また、突起９ｃ，９ｄは、張出し部３の上側表面に印刷された花形や星形の印刷パターンと対応する大きさ及び形状に形成されているので、前記実施例と略同等の作用及び効果を奏することができる。
【００５１】
見本体２の突起９ｃ，９ｄは、該見本体２を真空成形する際に形成される。また、販売促進体８の左右下端部には、丸形状の孔部８ｃ，８ｄを形成するだけであるので、販売促進体８を折り曲げたり、他の部品を用いて取り付けるような手間及び作業が省け、幅広型見本１の上側表面に対し販売促進体８をシート状態のまま取り付ける作業が簡単且つ容易に行える。
【００５２】
なお、見本体２の同径に形成された突起９ｃ，９ｄを、販売促進体８の同径に形成された孔部８ｃ，８ｄに差し込み固定してもよい。  
また、突起９ｃ，９ｄ及び孔部８ｃ，８ｄの正面から見た形状を、例えば星形、花形、楕円形、菱形、ハート形、雲形、卵形、或いは、正方形、矩形、三角形、五角形、六角形等の形状に形成してもよい。
【００５３】
図８は、幅広型見本１に対する販売促進体１０，１１の他の取り付け方を示す斜視図、図９は、図８の販売促進体１０，１１の取り付け方を示す正面図である。
【００５４】
本例の販売促進体１０，１１は、正面から見てＴ字状に形成された販売促進体１０と、左側上部に差込み固定される正面から見て傘形状に形成された販売促進体１１とで構成されている。
【００５５】
販売促進体１０が取り付けられる見本体２の張出し部３より上側の正面から見て左側表面には、販売促進体１０の下端側中央部に連設された差込み片１０ａを支持するための支持部１２が対で形成されている。
【００５６】
一対の支持部１２は、差込み片１０ａが垂直方向に差込み許容される間隔に隔てて配置されている。また、支持部１２，１２の間は、上端側から下端側に向けて同一となる差し込み幅に形成され、差込み片１０ａが垂直に差し込まれた状態に保持される間隔に隔てられている。
【００５７】
販売促進体１１が取り付けられる見本体２の張出し部３より上側の正面から見て右側表面には、販売促進体１１の下端側中央部に連設された差込み片１１ａを差し込むための支持部１３が対で形成されている。
【００５８】
一対の支持部１３は、差込み片１１ａが垂直方向に差込み許容される間隔に隔てて配置されている。また、支持部１３，１３の間は、上端側から下端側に向けて徐々に幅狭となる差し込み幅に形成され、差込み片１１ａが垂直に差し込まれた状態に保持される間隔に隔てられている。
【００５９】
支持部１２，１２及び支持部１３，１３は、張出し部３の上側表面に印刷された樹木形の印刷パターンと対応する部分の表面に形成されている。つまり、見本体２を真空成形する際に、該見本体２の表面から前方に向けて張り出すように形成されている（図８のｃ部に示す拡大横断平面図を参照）。
【００６０】
前記幅広型見本１の上側表面に販売促進体１０，１１を取り付ける場合、販売促進体１０，１１を、商品に関連した販売促進情報が印刷された表示面が正面向きとなるようにして、見本体２の張出し部３より上側表面に沿って垂直に下降させ、販売促進体１０，１１の差込み片１０ａ，１１ａを、張出し部３より上側の左右表面に形成された支持部１２，１２と支持部１３，１３に差し込む。
【００６１】
つまり、販売促進体１０の差込み片１０ａを、張出し部３より上側の左側表面に形成された支持部１２，１２の間に差し込み、該販売促進体１０の表示面が正面向きとなるように取り付ける。
【００６２】
販売促進体１１の差込み片１１ａを、張出し部３より上側の右側表面に形成された支持部１３，１３の間に上方から差し込み、該販売促進体１１の表示面が正面向きとなるように取り付ける。
【００６３】
これにより、販売促進体１０，１１を、見本体２の張出し部３より上側表面に対し、商品に関連した販売促進情報が印刷された表面が正面向きとなるように取り付けることができる。  
また、支持部１２，１２及び支持部１３，１３は、張出し部３の上側表面に印刷された樹木形の印刷パターンと対応する大きさ及び形状に形成されているので、前記実施例と略同等の作用及び効果を奏することができる。
【００６４】
なお、販売促進体１０，１１の大きさ及び形状は、商品の販売イメージや販売促進情報に応じて変更することができる。  
また、支持部１２，１２及び支持部１３，１３を、張出し部３の上側表面に形成すれば、張出し部３の上側表面に対し販売促進体１０，１１を正面向きに取り付けることができる。
【００６５】
図１０は、同一形状の見本部４Ａを３個備えた幅広型見本１に対する暖簾型の販売促進体１８のその他の取り付け例を示す斜視図である。  
図に示す販売促進体１８は、見本体２の中央部表面を除いて、残り周縁部表面が覆われる大きさ及び形状に形成されている。また、販売促進体１８の中央部には、見本体２に形成された３個の見本部４Ａを露出するための窓部１８ａが開口されている。
【００６６】
見本体２の張出し部３より上側表面には、販売促進体１８の上縁部を裏面側へ押し返してなる係止片１８ｂを係止するための凸状の係止部１４が形成されている。
【００６７】
係止部１４は、張出し部３の上側表面に印刷された印刷パターンと対応する部分に形成され、見本体２を真空成形する際に、該見本体２の表面から前方に向けて張り出すように形成されている。
【００６８】
前記幅広型見本１の表面に販売促進体１８を取り付ける場合、販売促進体１８の上縁部を裏面側へ押し返してなる係止片１８ｂを、見本体２の張出し部３より上側表面に形成された凸状の係止部１４に係止する。
【００６９】
これにより、幅広型見本１の表面に沿って販売促進体１８が暖簾状に垂れ下げられ、幅広型見本１の中央表面を除いく表面全体が覆われた状態に取り付けられる。また、中央の見本部４が窓部１８ａから露出され、その露出された見本部４が目立つことになるので、前記実施例と略同等の作用及び効果を奏することができる。
【００７０】
図１１の（ｃ）〜（ｅ）は、同一形状の見本部４Ａを備えた幅広型見本１に対する販売促進体１８Ｃ〜１８Ｉのその他の取り付け例を示す斜視図である。  
（ｃ）に示す見本体２の上部表面には、弧状の販売促進体１８Ｃが前方に向けて突き出した状態に取り付けられている。また、見本部４の中央表面には、帯状の販売促進体１８Ｄが巻き付けた状態に取り付けられている。また、見本部４の上部平面には、旗状の販売促進体１８Ｅが起立した状態に取り付けられている。
【００７１】
（ｄ）に示す見本体２の上部表面には、販売促進体１８Ｆが側面から見て略半円形状に湾曲して取り付けられている。また、見本体２の下部表面には、販売促進体１８Ｇが前方に向けてへ字状に突き出した状態に取り付けられている。
【００７２】
（ｅ）に示す見本体２の上部表面には、フラットに形成された販売促進体１８Ｈが見本体２の上部表面に沿って取り付けられている。また、見本体２の表面には、見本体２の横幅より大径に形成され、中央部に窓部１８Ｉａが開口された丸形状の販売促進体１８Ｉが取り付けられている。
【００７３】
つまり、図１１の（ｃ）〜（ｅ）に示す販売促進体１８Ｃ〜１８Ｉを、前記実施例の取り付け構造を用いて幅広型見本１に取り付けることにより、前記実施例と略同等の作用及び効果を奏することができる。
【００７４】
図１２の（ｆ）〜（ｉ）は、見本部４Ａ，４Ｂを備えた幅広型見本１に対する販売促進体１８Ｊ〜１８Ｍのその他の取り付け例を示す斜視図である。
【００７５】
（ｆ）に示す販売促進体１８Ｊは、見本体２の左側表面、上部表面、下部表面が覆われる大きさ及び形状に形成されている。また、販売促進体１８Ｊの右側には、見本部４Ａを露出するための窓部１８Ｊａが開口されている。
【００７６】
（ｇ）に示す販売促進体１８Ｋは、見本部４Ａの上部平面及び見本部４Ｂが覆われる大きさ及び形状に形成されている。また、販売促進体１８Ｋの右側上面には、正面から見て略半円形状の表示部１８Ｋａが起立した状態に形成されている。
【００７７】
（ｈ）に示す販売促進体１８Ｌは、見本部４Ａの上部平面及び見本部４Ｂが覆われる大きさ及び形状に形成されている。また、販売促進体１８Ｌの左側は、上方から見て略半円形状に湾曲され、見本部４Ｂが覆われる状態に取り付けられる。また、販売促進体１８Ｌの上端には、フラットに形成された略半円形状の表示部１８Ｌａが一体的に形成されている。
【００７８】
（ｉ）に示す販売促進体１８Ｍは、中央部に形成された折り目に沿って上方から見て三角形状に折り曲げられる。また、販売促進体１８Ｍの裏側へ折り返された両側縁部は、見本部４Ｂの表面に取り付けられる。
【００７９】
つまり、図１２の（ｆ）〜（ｉ）に示す販売促進体１８Ｊ〜１８Ｍを、前記実施例の取り付け構造を用いて幅広型見本１に取り付けることにより、前記実施例と略同等の作用及び効果を奏することができる。
【００８０】
この発明の構成と、前記実施形態との対応において、  
この発明の販売促進体取付け部は、係止部３ａ，３ｂ，１４と、突起９ｃ，９ｄと、支持部１２，１３に対応するも、  
この発明は、上述の実施形態の構成のみに限定されるものではなく、請求項に示される技術思想に基づいて応用することができ、多くの実施の形態を得ることができる。
【００８１】
例えば係止部３ａ，３ｂ，１４に、販売促進体８の下縁部又は上縁部を差し込むための図示しないスリットを形成してもよい。  
また、前記実施例の取り付け構造を複数組み合わせてもよく、単一の取り付け構造のみで取り付けるよりも、販売促進体８，１８，１８Ｃ〜１８Ｍを確実且つ強固に取り付けることができる。  
また、販売促進体８，１８，１８Ｃ〜１８Ｍを複数組み合わせて取り付けてもよい。
【符号の説明】
【００８２】
Ａ…自動販売機
Ａａ…見本陳列部
Ａｂ…陳列パネル
Ａｃ…開口部
１…幅広型見本
２…見本体
３…張出し部
３ａ，３ｂ…係止部
４Ａ，４Ｂ…見本部
５…台座部
６…第１挿入部
７…第２挿入部
８…販売促進体
８ａ，８ｂ…切欠き部
８ｃ，８ｄ…孔部
９ｃ，９ｄ…突起
１０，１１…販売促進体
１０ａ，１１ａ…差込み片
１２，１３…支持部
１４…係止部
１８…販売促進体
１８ｂ…係止片
１８Ｃ〜１８Ｍ…販売促進体
【図１】
0005455487.tif 000002
【図２】
0005455487.tif 000003
【図３】
0005455487.tif 000004
【図４】
0005455487.tif 000005
【図５】
0005455487.tif 000006
【図６】
0005455487.tif 000007
【図７】
0005455487.tif 000008
【図８】
0005455487.tif 000009
【図９】
0005455487.tif 000010
【図１０】
0005455487.tif 000011
【図１１】
0005455487.tif 000012
【図１２】
0005455487.tif 000013